(57)【要約】【課題】電動工具の作動部と電源との間に、望ましい距離や物性の通電線を挿入し、多様な作業部を遠隔操作することを可能とする。【解決手段】電源部（10）と電動工具（30）とを通電可能に連結する装置に切換スイッチを配置した装置において、弾性材（27）の弾性を利用して多様な端末に接触通電させることによって装置の汎用性を確保し、作業部（49）を自在に制御することを可能にし、安価な電動工具の用途を画期的に広げる。【選択図】図１
2014000629.tif 000002
【特許請求の範囲】
【請求項１】
陰通電線（21）と陽通電線（22）とからなる通電線によって電源部（10）と電動工具（30）とを通電可能に結合し、該通電線を保護材（26）で被覆して保持し、該通電線の両端部を通電可能に暴露して曝露部とし、該暴露部の一端を該電源の電源端に、他端を該電動工具が受電する工具端に接触させて通電し、弾性材（27）の弾性を利用して該暴露部の接触通電を維持し、該通電線にスイッチ（25）が配置され、該スイッチが正通電、逆通電、無通電の３状態の少なくとも２状態を選択することを特徴とする電動工具の遠隔操作装置。
【請求項２】
送電端（28Ａ）と受電端（28Ｂ）とをオンオフする結合機構によって、該通電線の任意長さ延長部、交流を直流に整流する整流部、電圧を変換する変圧部、通電を表示する表示部の何れかを組み入れたことを特徴とする電動工具の遠隔操作装置。
【発明の詳細な説明】
【技術分野】
【０００１】
本発明は、電動工具の遠隔操作を容易に可能にする装置に関し、特に直流を電源として作動する電動工具の遠隔装置に関する。
【背景技術】
【０００２】
従来の直流電源として電池や充電器を利用する電動工具（以下該工具と言う）は、ねじ回し、穿孔、巻取り、切削、研磨など多様な用途のために市販されている。しかし電源はそれぞれの工具に専用であり互換性がなく、該工具毎に購入するので不経済であった。
【０００３】
加えて、電池は該工具本体に対して重量が無視できない程大きいので作業の邪魔になっていた。
【０００４】
重量のために電源と作動部とを分離して遠隔的に操作する遠隔操作については特許文献１及び特許文献２に類似の発明があるが、電源と装置が不可分である。このため該工具の用途も狭い範囲に限定されている。
【０００５】
該工具は量産され安価であるから、遠隔操作が出来ると多くの用途が広がる。例えば回転で順転停止逆転などを利用してコードや帯状体の巻取りを利用すると広範な用途が可能になる。十分な駆動能力を持たせることが可能であるからである。
【先行技術文献】
【特許文献】
【０００６】
【特許文献１】米国特許６５３６５３６  Power tools (2003)
【特許文献２】日本国特許  第３５８３５７６号（2004）
【発明の開示】
【発明が解決しようとする課題】
【０００７】
電源部と作動部や作業部との間に汎用性と融通性のある制御装置を配置することによって下記のような応用を可能にすることが課題である。
ａ.  遠隔作業
ｂ.  障壁を越えた作業
ｃ.  遠隔情報伝達
ｄ.  障壁を越えた情報伝達
【課題を解決するための手段】
【０００８】
本発明における上記課題解決の手段は、請求項１に記述されたようであり、図面によって記述する。図1は代表的な電動工具である電動ドリルへの応用例についての断面図である。電源部（10）の電池（16）から巻取り作業をする作業部品（49）までの配置の概要を示す。通電線を構成する陰電線（21）と陽電線（22）とを介して、電源部（10）と電動工具（30）とを通電結合されている。該通電線の中間にスイッチ（25）を挿入して遠隔操作する。該通電線の長さを変化させて遠隔操作の距離を決めることができる。
【０００９】
挟み付け、押し広げ、ねじ、摩擦、幾何学的拘束などで該通電線の端末を保持し、そこに弾性材（27）を配し、その押し狭めと押し広げの特性を利用して該通電線の両端末を相手の端末との接触維持を担保する。
【００１０】
該通電線を用途に応じた保護材（26）で被覆して保持する。特に水中、密閉壁、特殊ガスなどの環境に対応し、用途に応じた変形特性や物性を選択することによって機能が更に向上する。
【００１１】
該スイッチは図２に図式的に示すように（ａ）正通電、（ｂ）無通電、（ｃ）逆通電の３状態の中、少なくとも２状態を選択する。切り替えは直接手動、電動（有線又は無線による）、電磁波（赤外線、レーザー、可視光線など）、機械的（紐、レバー、歯車など）等の多様な手段に対応することにより用途は更に拡大する。
【００１２】
該電源部と該通電線との結合手段の一般的な方法は図４に示すように電池の電源（10）の上に突き出た陰電源端（11）と陽電源端（１2）とを該電動工具の下部に挿入し、陰工具端（31）と陽工具端（32）とに接触させる。これを模し手段は図１に示す。該通電線の下端において陰陽線の端末間隔にテーパーを付けたり、やや狭く配置して押しこみ、弾性体（27）で電池の上に突き出た端部に押しつけると作業が容易になる。
【００１３】
該陰工具端と該陽工具端とには図４の該電源部の上端突起を模して該通電線の上端を固定し、下から上に向けて挿入する手段を図１に示す。上述のように端末間隔にテーパーを付けたり、やや広く配置して押しこみ、弾性体（27）で押しつけつると振動剥離に耐えてより安定する。
【００１４】
両端の接続について、汎用性を拡大するために用いる下記のような代表的な手段を図３に示す。
（ａ）：上端は従来法、下端は弾性挙動の音叉状体で構成し、これを広げて電源端末を挟む。
（ｂ）：上端は押しバネで押し広げ、下端は自動車のシガーライター孔に挿入するジャックである。
（ｃ）：上端は上例のバネ機構に代え、弾性樹脂で押し付ける。中央の穴に紐などの線材を挿入すると接触の固定を容易に拘束することができる。下端は整流器などを介して家庭用電線に結合する。
【００１５】
なお、ソケット-プラグ、コンセント-ジャックなどの多様な結合機構（28）を用いて長さと直径の異なる延長部、交流を直流に整流する整流部、電圧を変換する変圧部、通電を表示する表示部などを加えることにより前記の問題点はさらに効果的に解決される。
【発明の効果】
【００１６】
本発明は、以上のような手段を用いることによって、上記の電動工具の問題点を解決するので下記のような分野での作業の安全と能率とを格段に向上する。
ａ.  隔離点への作業：標識旗の高揚、郵便物新聞干し物の移動と取り込み、高枝剪定、
ｂ.  時間調節作業：幕やネットの昇降、練習ボール収集
ｃ.   障壁を越えた作業：自動車などの閉空間内から外の諸装置の制御（その逆に外部から閉空間内部の作業を実施する。）
ｄ.   遠隔情報伝達：スイッチ制御による遠隔地点への信号発信（旗振り、発光灯の発光と旋回）
【発明を実施するための最良の形態】
【００１７】
上記の「課題を解決するための手段」について図１を参照して記述したように、電動ドライバーと電源とを固定し、本発明のスイッチ（25）を遠隔地点に固定する。
【実施例１】
【００１８】
高階住居のベランダに電動工具を固定し、作業部品（49）にロープ巻き取りドラムを用いる。該スイッチを地上玄関に固定する。巻き付けたロープの下端にバスケットを付ける。配達物の配達者はベルや携帯電話で連絡し該スイッチをオンにして高階の受領者に配達する。
【実施例２】
【００１９】
自動車のシガーライターを電源とし、該スイッチをダッシュボードに固定する。該通電線を床下のグルメットを通して車外に導き後部の自転車保持器に導く。自転車の固定と解放が車内で制御されるので落下や盗難の防止などに効果がある。
【産業上の利用可能性】
【００２０】
上記「発明の効果」で述べた事項は従来の手段では困難であったが、本発明の利用により何れも簡易に実施可能になった。
【図面の簡単な説明】
【００２１】
【図１】本発明を介して電源と電動工具を電気的に結合した状態の断面図（実施例１）
【図２】本発明のスイッチの３状態を示す断面図。
【図３】汎用性を担保する代表的な結合方法の断面図。
【図４】従来の代表的な電動工具の電源と受電する端部の一部断面図。
【符号の説明】
【００２２】
１０    電源部
１１    陰電源端
１２    陽電源端
１６    電池
２０    本発明
２１    陰通電線
２２    陽通電線
２３    受電部
２４    送電部
２５    スイッチ
２６    保護材
２７    弾性材
２８    結合機構
２８Ａ  送電端
２８Ｂ  受電端
２９    機能部
３０    電動工具
３１    陰工具端
３２    陽工具端
３６    工具保持部
３８    駆動部
３９    接続部
４０    作動部
４８    取付部
４９    作業部
【図１】
2014000629.tif 000003
【図２】
2014000629.tif 000004
【図３】
2014000629.tif 000005
【図４】
2014000629.tif 000006